(57)【要約】【課題】現状設備を変えることなく、安全処置作業後の操作状態の確認、逆安全処置指示に対する作業中止指示を判断する。【解決手段】識別表示物４は、安全処置対象４−２の番号４−３に紐付いて採番された番号４−１が付けられ、安全処置作業が実施されたときに安全処置対象４−２に取り付けられる。安全処置作業の実施前において、ポータブルＰＣ２は、カメラ２−２で安全処置対象４−２を撮影することにより画像から得られた番号４−３と、安全処置作業管理情報３−１内の番号３−１−１とを照合する。安全処置作業の実施後において、ポータブルＰＣ２は、カメラ２−２で安全処置対象４−２および識別表示物４を撮影することにより画像からそれぞれ得られた番号４−３および４−１と、安全処置作業管理情報３−１内の番号３−１−１および番号３−１−３とを照合し、照合結果に基づいてメッセージを表示する。【選択図】図１
2014203130.tif 000002
【特許請求の範囲】
【請求項１】
プラント機器の試験・点検時に作業員やプラントの安全を確保するために行う安全処置作業を管理するシステムにおいて、
個体識別子が表記された安全処置対象と、
前記安全処置対象の個体識別子に対応付けられた安全処置管理識別子が表記され、安全処置作業が実施されたときに前記安全処置対象に取り付けられる識別表示物と、
前記安全処置対象の個体識別子と同一の個体識別子、前記識別表示物の安全処置管理識別子と同一の安全処置管理識別子、および、予定している安全処置作業の内容を識別する予定作業情報を含む安全処置作業管理情報を格納するデータベースを備える管理装置と、
前記安全処置対象を撮影するカメラと、撮影した画像から文字および安全処置状態を認識する画像認識部と、照合部と、表示部とを備えるポータブルＰＣと、
を具備し、
安全処置作業の実施前において、前記照合部は、前記カメラで前記安全処置対象を撮影することにより画像から得られた個体識別子と、前記安全処置作業管理情報内の個体識別子とを照合し、
安全処置作業の実施後において、前記照合部は、前記カメラで前記安全処置対象および前記識別表示物を撮影することにより画像からそれぞれ得られた個体識別子および安全処置管理識別子と、前記安全処置作業管理情報内の個体識別子および安全処置管理識別子とを照合し、前記カメラで前記安全処置対象を撮影することにより得られた画像から、前記安全処置対象の現在の状態と、前記安全処置作業管理情報内の予定作業情報が表す状態とを照合し、
前記表示部は、前記照合部の照合結果に基づいてメッセージを表示することを特徴とする安全処置作業管理システム。
【請求項２】
前記ポータブルＰＣは、前記安全処置対象が撮影された画像から文字認識をする際に、前記安全処置対象が歪曲しているような場合においても自動修正して、前記安全処置対象の個体識別子を認識する機能をさらに備えていることを特徴とする請求項１に記載の安全処置作業管理システム。
【請求項３】
前記ポータブルＰＣは、前記安全処置対象が撮影された画像を前記表示部に表示したときに前記安全処置対象の個体識別子を含む複数の個体識別子が存在する場合、自動で文字認識し、複数の個体識別子の中から安全処置作業者が前記安全処置対象の個体識別子を選択するための認識後画面を前記表示部に表示し、安全処置作業者が前記認識後画面から前記安全処置対象の個体識別子を選択した場合に、前記安全処置対象の個体識別子を認識する機能をさらに備えていることを特徴とする請求項１に記載の安全処置作業管理システム。
【請求項４】
前記ポータブルＰＣは、前記安全処置対象が撮影された画像を前記表示部に表示したときに前記安全処置対象の個体識別子を含む複数の個体識別子が存在する場合、前記画像上で認識範囲の指定を促し、安全処置作業者が前記画像から前記安全処置対象の個体識別子を含む認識範囲を指定した場合、前記認識範囲が指定された前記安全処置対象の個体識別子を認識する機能をさらに備えていることを特徴とする請求項１に記載の安全処置作業管理システム。
【請求項５】
前記ポータブルＰＣは、認識ルールがユーザーにより設定され、前記認識ルールに基づいて前記安全処置対象の個体識別子を認識する機能をさらに備えていることを特徴とする請求項１に記載の安全処置作業管理システム。
【請求項６】
前記管理装置および前記ポータブルＰＣはネットワークへ接続可能な通信部をさらに備え、
前記管理装置への前記安全処置作業管理情報の入力は前記ネットワークに接続されている機器から入力され、
前記ポータブルＰＣは、前記管理装置内の前記データベースへ直接アクセスして前記安全処置作業管理情報をダウンロードすることを特徴とする請求項１ないし請求項５のいずれか一項に記載の安全処置作業管理システム。
【請求項７】
前記管理装置は、安全処置作業の実施後に前記安全処置対象に前記識別表示物が取りついている状態で前記ポータブルＰＣの前記カメラにより撮影された画像を前記管理装置の前記データベースの前記安全処置作業管理情報内の作業エビデンスとして格納する手段をさらに備えていることを特徴とする請求項１ないし請求項６のいずれか一項に記載の安全処置作業管理システム。
【請求項８】
前記ポータブルＰＣは、安全処置作業を実施した時間を前記管理装置の前記データベースの前記安全処置作業管理情報内の実施時刻として記録する機能をさらに備えていることを特徴とする請求項１ないし請求項７のいずれか一項に記載の安全処置作業管理システム。
【請求項９】
前記管理装置は、図面を参照する手段をさらに備え、
前記データベースは、前記図面を保管する図面保管部を備え、
前記図面は、図面内に個体識別子を含む情報が格納されているデータ図面であり、前記ポータブルＰＣで認識した個体識別子に対応する図面を、前記図面保管部から呼出し、前記ポータブルＰＣへ表示させることを特徴とする請求項１ないし請求項８のいずれか一項に記載の安全処置作業管理システム。
【請求項１０】
前記管理装置は、前記安全処置作業管理情報の入力時に、前記図面内の個体識別子を選択することにより前記安全処置作業管理情報を作成することを特徴とする請求項９に記載の安全処置作業管理システム。
【請求項１１】
前記ポータブルＰＣは、前記安全処置作業管理情報に関する前記安全処置対象の位置情報を検索するＧＰＳ機能と、前記位置情報に基づいて安全処置作業者を前記安全処置対象まで誘導案内する手段と、をさらに備えていることを特徴とする請求項１ないし請求項１０のいずれか一項に記載の安全処置作業管理システム。
【請求項１２】
個体識別子が表記された安全処置対象と、前記安全処置対象の個体識別子に対応付けられた安全処置管理識別子が表記され、安全処置作業が実施されたときに前記安全処置対象に取り付けられる識別表示物と、前記安全処置対象の個体識別子と同一の個体識別子、前記識別表示物の安全処置管理識別子と同一の安全処置管理識別子、および、予定している安全処置作業の内容を識別する予定作業情報を含む安全処置作業管理情報を格納するデータベースを備える管理装置と、前記安全処置対象を撮影するカメラを備えるポータブルＰＣと、を具備し、プラント機器の試験・点検時に作業員やプラントの安全を確保するために行う安全処置作業を管理する方法であって、
安全処置作業の実施前において、前記ポータブルＰＣは、前記カメラで前記安全処置対象を撮影することにより画像から得られた個体識別子と、前記安全処置作業管理情報内の個体識別子とを照合し、
安全処置作業の実施後において、前記ポータブルＰＣは、前記カメラで前記安全処置対象および前記識別表示物を撮影することにより画像からそれぞれ得られた個体識別子および安全処置管理識別子と、前記安全処置作業管理情報内の個体識別子および安全処置管理識別子とを照合し、前記カメラで前記安全処置対象を撮影することにより得られた画像から、前記安全処置対象の現在の状態と、前記安全処置作業管理情報内の予定作業情報が表す状態とを照合し、
前記ポータブルＰＣは、照合結果に基づいてメッセージを表示することを特徴とする安全処置作業管理方法。
【発明の詳細な説明】
【技術分野】
【０００１】
本発明の実施形態は、発電プラントの安全処置作業を管理する安全処置作業管理システムに関する。
【背景技術】
【０００２】
発電プラントでは定期的に盤や機器の試験・点検を行う必要がある。その際に作業員やプラントの安全を確保するために行う安全処置として、機器の操作や、配線・ケーブルの解線や、強制接続、電源の隔離が行なわれる。しかし、プラントの大型化に伴い、定期点検において機器・配線・ケーブル等の安全処置対象の物量は増してしまう。
【０００３】
現状の発電プラントにおける安全処置の管理は、印字された紙のタグ札を取り付けることで実施している。例として、１箇所に複数枚の紙タグ札が取付けられていたり、多くの紙タグ札が近接して取付けられていたりする。このため、改造・試験・点検時に紙タグ札が邪魔をして作業の効率が低下したり、多数の紙タグ札が１箇所に取付けられている場合は、作業対象の間違いを起こす可能性がある。また、紙タグ札は取付け・取外しを人間作業で実施する必要があり、ヒューマンエラー発生の可能性がある。
【０００４】
これらの問題点を解決する手法の一つにＲＦＩＤタグを利用する方法がある。例えば、特許文献１に提示されている。
【先行技術文献】
【特許文献】
【０００５】
【特許文献１】特開２００６−１４６７４９号公報
【発明の概要】
【発明が解決しようとする課題】
【０００６】
特許文献１に記載された技術では、機器の情報管理をＰＤＡ装置と機器に個別に設置されているＲＦＩＤと、操作時に一時的に設置されるＲＦＩＤタグ札により、誤操作を防止する効果がある。しかし、上記技術では、次のような問題点が挙げられる。
【０００７】
まず、安全処置対象に対してＲＦＩＤが取付けられている必要があり、既存設備の場合には、ＲＦＩＤが適用されていないと運用することができない。また、ＲＦＩＤ自体の故障や、電波・電磁場の影響による保存データの異常の発生により、データが上手く読書きできない可能性がある。また、ＲＦＩＤタグ札を安全処置対象へ重複して取付けるような場合、操作作業の支障になる可能性や、ＲＦＩＤタグ札自体の紛失の可能性がある。
【０００８】
さらに、機器に個別に設置されているＲＦＩＤと、操作時に一時的に設置するＲＦＩＤタグとにより、操作対象機器の間違いを防ぐことはできるが、ＯＮの操作指示に対して、ＯＦＦの操作をしてしまうというような操作ミスを防ぐ対策が従来の紙タグ札での運用と同一であり、新規対策されていない。また、現状の機器の実状態の認識は人間系で実施するため、思い込みによる操作により操作指示と違った操作の実施や、現状の安全処置状態を無視した逆の安全処置を実施してしまう可能性がある。
【０００９】
本発明の実施形態が解決しようとする課題は、現状設備を変えることなく、安全処置作業後の操作状態の確認、逆安全処置指示に対する作業中止指示を判断することにある。
【課題を解決するための手段】
【００１０】
実施形態の安全処置作業管理システムは、プラント機器の試験・点検時に作業員やプラントの安全を確保するために行う安全処置作業を管理するシステムにおいて、個体識別子が表記された安全処置対象と、前記安全処置対象の個体識別子に対応付けられた安全処置管理識別子が表記され、安全処置作業が実施されたときに前記安全処置対象に取り付けられる識別表示物と、前記安全処置対象の個体識別子と同一の個体識別子、前記識別表示物の安全処置管理識別子と同一の安全処置管理識別子、および、予定している安全処置作業の内容を識別する予定作業情報を含む安全処置作業管理情報を格納するデータベースを備える管理装置と、前記安全処置対象を撮影するカメラと、撮影した画像から文字および安全処置状態を認識する画像認識部と、照合部と、表示部とを備えるポータブルＰＣと、を具備し、安全処置作業の実施前において、前記照合部は、前記カメラで前記安全処置対象を撮影することにより画像から得られた個体識別子と、前記安全処置作業管理情報内の個体識別子とを照合し、安全処置作業の実施後において、前記照合部は、前記カメラで前記安全処置対象および前記識別表示物を撮影することにより画像からそれぞれ得られた個体識別子および安全処置管理識別子と、前記安全処置作業管理情報内の個体識別子および安全処置管理識別子とを照合し、前記カメラで前記安全処置対象を撮影することにより得られた画像から、前記安全処置対象の現在の状態と、前記安全処置作業管理情報内の予定作業情報が表す状態とを照合し、前記表示部は、前記照合部の照合結果に基づいてメッセージを表示することを特徴とする。
【００１１】
実施形態の安全処置作業管理方法は、個体識別子が表記された安全処置対象と、前記安全処置対象の個体識別子に対応付けられた安全処置管理識別子が表記され、安全処置作業が実施されたときに前記安全処置対象に取り付けられる識別表示物と、前記安全処置対象の個体識別子と同一の個体識別子、前記識別表示物の安全処置管理識別子と同一の安全処置管理識別子、および、予定している安全処置作業の内容を識別する予定作業情報を含む安全処置作業管理情報を格納するデータベースを備える管理装置と、前記安全処置対象を撮影するカメラを備えるポータブルＰＣと、を具備し、プラント機器の試験・点検時に作業員やプラントの安全を確保するために行う安全処置作業を管理する方法であって、安全処置作業の実施前において、前記ポータブルＰＣは、前記カメラで前記安全処置対象を撮影することにより画像から得られた個体識別子と、前記安全処置作業管理情報内の個体識別子とを照合し、安全処置作業の実施後において、前記ポータブルＰＣは、前記カメラで前記安全処置対象および前記識別表示物を撮影することにより画像からそれぞれ得られた個体識別子および安全処置管理識別子と、前記安全処置作業管理情報内の個体識別子および安全処置管理識別子とを照合し、前記カメラで前記安全処置対象を撮影することにより得られた画像から、前記安全処置対象の現在の状態と、前記安全処置作業管理情報内の予定作業情報が表す状態とを照合し、前記ポータブルＰＣは、照合結果に基づいてメッセージを表示することを特徴とする。
【発明の効果】
【００１２】
本発明の実施形態によれば、現状設備を変えることなく、安全処置作業後の操作状態の確認、逆安全処置指示に対する作業中止指示を判断することができる。
【図面の簡単な説明】
【００１３】
【図１】第１実施形態に係る安全処置作業管理システムの構成を示すブロック図である。
【図２】第２実施形態に係る安全処置作業管理システムの構成を示すブロック図である。
【図３】第３実施形態に係る安全処置作業管理システムの構成を示すブロック図である。
【図４】第４実施形態に係る安全処置作業管理システムの構成を示すブロック図である。
【図５】第５実施形態に係る安全処置作業管理システムの構成を示すブロック図である。
【図６】第６実施形態に係る安全処置作業管理システムの構成を示すブロック図である。
【図７】第７実施形態に係る安全処置作業管理システムの構成を示すブロック図である。
【図８】第８実施形態に係る安全処置作業管理システムの構成を示すブロック図である。
【図９】第９実施形態に係る安全処置作業管理システムの構成を示すブロック図である。
【図１０】第１０実施形態に係る安全処置作業管理システムの構成を示すブロック図である。
【図１１】第１１実施形態に係る安全処置作業管理システムの構成を示すブロック図である。
【図１２】第１実施形態に係る安全処置作業管理システムの動作として、安全処置作業の実施動作を示すフローチャートである。
【図１３】第１実施形態に係る安全処置作業管理システムの動作として、安全処置作業の実施動作の中の安全処置作業実施処理（ＳＴＥＰ：１−１−２０）を示すフローチャートである。
【図１４】第１実施形態に係る安全処置作業管理システムの動作として、安全処置作業の解除動作を示すフローチャートである。
【図１５】第１実施形態に係る安全処置作業管理システムの動作として、安全処置作業の解除動作の中の安全処置作業解除処理（ＳＴＥＰ：１−２−１６）を示すフローチャートである。
【図１６】第６実施形態に係る安全処置作業管理システムの動作として、安全処置作業の実施動作を示すフローチャートである。
【図１７】第６実施形態に係る安全処置作業管理システムの動作として、安全処置作業の解除動作を示すフローチャートである。
【図１８】第７実施形態に係る安全処置作業管理システムの動作として、安全処置作業の実施動作を示すフローチャートである。
【図１９】第７実施形態に係る安全処置作業管理システムの動作として、安全処置作業の解除動作を示すフローチャートである。
【図２０】第８実施形態に係る安全処置作業管理システムの動作として、安全処置作業の実施動作を示すフローチャートである。
【図２１】第８実施形態に係る安全処置作業管理システムの動作として、安全処置作業の解除動作を示すフローチャートである。
【図２２】第１実施形態に係る安全処置作業管理システムの管理装置のデータベースに格納されている安全処置作業管理情報の詳細を示す図である。
【図２３】第１実施形態に係る安全処置作業管理システムのポータブルＰＣの画像認識部の処理を説明するための図である。
【発明を実施するための形態】
【００１４】
以下、本発明に係る安全処置作業管理システムの実施形態について、図面を参照して説明する。
【００１５】
安全処置とは、発電プラントの機器や盤の試験・点検時に、作業員やプラントの安全を守るために実施することであり、安全処置作業とは、その実施のために、機器操作や、ケーブル・配線の解線および強制接続を行うことである。ここで、安全処置作業を行う対象の機器・配線・ケーブルのことを安全処置対象と称する。
【００１６】
［第１実施形態］
＜構成＞
図１は、第１実施形態に係る安全処置作業管理システムの構成を示すブロック図である。図２２は、第１実施形態に係る安全処置作業管理システムの管理装置のデータベースに格納されている安全処置作業管理情報の詳細を示す図である。図２３は、第１実施形態に係る安全処置作業管理システムのポータブルパーソナルコンピュータ（以下、ポータブルＰＣと称する）の画像認識部の処理を説明するための図である。
【００１７】
図１に示されるように、第１実施形態に係る安全処置作業管理システムは、管理装置１と、ポータブルＰＣ２と、安全処置対象４−２と、識別表示物４と、を具備している。
【００１８】
管理装置１は、安全処置作業管理情報３−１を格納するデータベース１−２と、安全処置作業管理情報３−１を表示する表示部１−３と、管理装置１全体の制御を行う制御部１−１と、各装置と通信するための通信部１−４と、安全処置作業管理情報３−１を入力する入力部１−５と、を備えている。
【００１９】
図２２に示されるように、安全処置作業管理情報３−１は、発電プラントにおける機器・配線・ケーブルを識別するための識別子である個体識別番号３−１−１と、安全処置の状態を示すステータス情報３−１−２と、安全処置を管理するための識別子である安全処置管理番号３−１−３と、安全処置作業管理情報を登録した人、または安全処置を実施する人を識別するための識別子である担当者３−１−４と、予定している安全処置作業の内容（状態）を識別するための識別子である予定作業情報３−１−８と、実際に行った安全処置作業の内容（状態）を識別するための識別子である実施作業情報３−１−９と、を含んでいる。なお、安全処置管理番号３−１−３は、個体識別番号３−１−１に紐付けられて採番される。
【００２０】
また、図１に示されるように、安全処置対象４−２には、個体識別番号３−１−１と同一の個体識別番号４−３が表記されている。または、その個体識別番号４−３が表記された表記物（板、シールなど）が取り付けられている。
【００２１】
図１に示されるように、識別表示物４には、安全処置管理番号３−１−３と同一の安全処置管理番号４−１が表記されている。または、その安全処置管理番号４−１が表記された表記物（板、シールなど）が取り付けられている。識別表示物４とは、安全処置実施状態を表すための識別表示物であり、安全処置対象４−２の安全処置の実施後に一時的に取付ける安全処置の実施状態を表す識別表示物である。具体例として、操作スイッチの操作を禁止させるもので、識別表示物４として色のついたカバーを用意し、そのカバーに安全処置管理番号４−１を取り付け、操作スイッチに取付けるものである（図２３参照）。
【００２２】
図１に示されるように、ポータブルＰＣ２は、安全処置作業における作業指示や画像を表示する表示部２−１と、安全処置対象４−２を撮影するカメラ２−２と、各装置と通信するための通信部２−３と、ポータブルＰＣ２全体の制御を行う制御部２−４と、撮影した画像の中から文字と現状の安全処置状態を認識する画像認識部２−５と、通信部２−３にて管理装置１から転送される安全処置作業管理情報３−１や撮影した画像を保管するデータ保管部２−６と、カメラ２−２で撮影して得た個体識別番号４−３と安全処置作業管理情報３−１内の個体識別番号３−１−１とを照合するための照合部２−７と、ポータブルＰＣ２を操作するための入力部２−８と、を備えている。
【００２３】
画像認識部２−５は、文字の認識として、撮影した画像から、文字を認識することで、安全処置対象機器の個体識別番号４−３と、識別表示物の安全処置管理番号４−１とを読み取る。また、配線・ケーブル類７−１の配線・解線状態の判断を、解線時に取付ける識別表示物４の色認識により行う（図２３参照）。例えば、識別表示物の色（赤）が認識されたら、解線状態と判断し、認識されなかった場合、配線状態であると判断する。さらに、強制接続に使う配線も識別された色（青）のものを使用し、その配線色（青）の認識により、強制接続されていることを判別する。
【００２４】
さらに、画像認識部２−５は、現状の安全処置状態の認識として、スイッチ類７−２において、スイッチポジションを認識することで運転・停止等の現状態を判断する。ＭＣＣＢ類７−３において、操作位置に表示される操作表示を認識することで、ＯＮ・ＯＦＦの現状態を判断する。弁・ポンプ類７−４において、運転表示ランプのランプ色の認識により運転・停止の現状態を判別する。
【００２５】
＜作用＞
第１実施形態に係る安全処置作業管理システムの動作としては、＜安全処置実施作業＞と＜安全処置解除作業＞とが挙げられる。
【００２６】
＜安全処置作業実施＞
図１２は、第１実施形態に係る安全処置作業管理システムの動作として、安全処置作業の実施動作を示すフローチャートである。図１３は、第１実施形態に係る安全処置作業管理システムの動作として、安全処置作業の実施動作の中の安全処置作業実施処理（ＳＴＥＰ：１−１−２０）を示すフローチャートである。
【００２７】
＜作業前準備＞
（ＳＴＥＰ：１−１−０）
まず、管理装置１は、入力部１−５の操作に応じて安全処置作業管理情報３−１をデータベース１−２に格納しておく。次に、管理装置１の通信部１−４とポータブルＰＣ２の通信部２−３とを通信可能状態にする。その後、管理装置１は、入力部１−５の操作に応じて、データベース１−２に格納された安全処置作業管理情報３−１をポータブルＰＣ２に転送する。このとき、ポータブルＰＣ２は、管理装置１からの安全処置作業管理情報３−１をデータ保管部２−６に格納する。
【００２８】
（ＳＴＥＰ：１−１−１）
作業を開始する。
【００２９】
（ＳＴＥＰ：１−１−２０）
次に、以下に示す安全処置作業実施処理（ＳＴＥＰ：１−１−２〜ＳＴＥＰ：１−１−１６）を実施する。
【００３０】
（ＳＴＥＰ：１−１−２）
安全処置作業者３−４は、ポータブルＰＣ２を操作して、データ保管部２−６に格納された安全処置作業管理情報３−１の中から実施対象の安全処置作業管理情報３−１を選択する。
【００３１】
（ＳＴＥＰ：１−１−３）
安全処置作業者３−４は、ポータブルＰＣ２を操作して、カメラ２−２で安全処置対象４−２を撮影する。
【００３２】
＜安全処置作業実施前の対象確認＞
（ＳＴＥＰ：１−１−４）
ポータブルＰＣ２は、（ＳＴＥＰ：１−１−３）にてカメラ２−２で安全処置対象４−２を撮影することにより画像から得られた個体識別番号４−３と、（ＳＴＥＰ：１−１−２）にて選択した実施対象の安全処置作業管理情報３−１内の個体識別番号３−１−１とを照合する。照合の結果、一致した場合（ＳＴＥＰ：１−１−４のＹｅｓ）は（ＳＴＥＰ：１−１−５）へ進み、照合の結果、一致しなかった場合（ＳＴＥＰ：１−１−４のＮｏ）は、実施対象を間違えたケースであり、（ＳＴＥＰ：１−１−２）へ戻る。
【００３３】
（ＳＴＥＰ：１−１−５）
ポータブルＰＣ２は、（ＳＴＥＰ：１−１−２）で選択した実施対象の安全処置作業管理情報３−１内のステータス情報３−１−２が表す安全処置の状態を確認して、安全処置対象４−２が既に実施状態である場合（ＳＴＥＰ：１−１−５のＹｅｓ）は、（ＳＴＥＰ：１−１−１３）へ進み、実施されていない場合（ＳＴＥＰ：１−１−５のＮｏ）は、（ＳＴＥＰ：１−１−６）へ進む。この処理は、安全処置対象箇所が既に他件名等で実施されている場合は、安全処置作業を実施する必要がないので、その要否を判断処理するものである。
【００３４】
（ＳＴＥＰ：１−１−６）
安全処置作業者３−４は、ポータブルＰＣ２の表示部２−１に「対象を確認しました。」等のメッセージと、「確認」のボタンとが表示されるので、「確認」ボタンをタッチする。
【００３５】
（ＳＴＥＰ：１−１−７）
安全処置作業者３−４は、安全処置対象４−２の安全処置作業を実施する。
【００３６】
（ＳＴＥＰ：１−１−８）
安全処置作業者３−４は、安全処置対象４−２へ識別表示物４を取付ける。
【００３７】
（ＳＴＥＰ：１−１−９）
安全処置作業者３−４は、ポータブルＰＣ２を操作して、カメラ２−２で安全処置対象４−２と識別表示物４とを撮影する。
【００３８】
＜安全処置作業実施後の対象確認＞
（ＳＴＥＰ：１−１−１０）
ポータブルＰＣ２は、（ＳＴＥＰ：１−１−９）にてカメラ２−２で安全処置対象４−２および識別表示物４を撮影することにより画像からそれぞれ得られた個体識別番号４−３および安全処置管理番号４−１と、（ＳＴＥＰ：１−１−２）にて選択した実施対象の安全処置作業管理情報３−１内の個体識別番号３−１−１および安全処置管理番号３−１−３とを照合する。照合の結果、一致した場合（ＳＴＥＰ：１−１−１０のＹｅｓ）は、（ＳＴＥＰ：１−１−１１）へ進み、照合の結果、一致しなかった場合（ＳＴＥＰ：１−１−１０のＮｏ）は、実施対象を間違えたケースであり、実施した安全処置作業を作業前の状態へ戻し、（ＳＴＥＰ：１−１−２）へ戻る。
【００３９】
＜安全処置作業の確認＞
（ＳＴＥＰ：１−１−１１）
ポータブルＰＣ２は、（ＳＴＥＰ：１−１−９）にてカメラ２−２で安全処置対象４−２および識別表示物４を撮影することにより得られた画像から、安全処置対象４−２の現在の状態を判別し、判別された現状態と、（ＳＴＥＰ：１−１−２）にて選択した実施対象の安全処置作業管理情報３−１内の予定作業情報３−１−８が表す状態とを照合する。照合の結果、一致した場合（ＳＴＥＰ：１−１−１１のＹｅｓ）は、（ＳＴＥＰ：１−１−１２）へ進む。照合の結果、一致しなかった場合（ＳＴＥＰ：１−１−１１のＮｏ）は、予定作業と相違した安全処置作業を行ってしまったケースであり、実施した安全処置作業を作業前の状態へ戻し、（ＳＴＥＰ：１−１−２）へ戻る。
【００４０】
（ＳＴＥＰ：１−１−１２）
安全処置作業者３−４は、ポータブルＰＣ２の表示部２−１に「安全処置が完了しました。」等のメッセージと、「確認」のボタンとが表示されるので、「確認」ボタンをタッチする。
【００４１】
＜逆状態への安全処置作業指示の実施防止＞
（ＳＴＥＰ：１−１−１３）
ポータブルＰＣ２は、（ＳＴＥＰ：１−１−３）にてカメラ２−２で安全処置対象４−２を撮影することにより得られた画像から、安全処置対象４−２の現在の状態を判別し、判別された現状態と、（ＳＴＥＰ：１−１−２）にて選択した実施対象の安全処置作業管理情報３−１内の予定作業情報３−１−８が表す状態とを照合する。照合の結果、一致した場合（ＳＴＥＰ：１−１−１３のＹｅｓ）は、（ＳＴＥＰ：１−１−１４）へ進む。照合の結果、一致しなかった場合（ＳＴＥＰ：１−１−１３のＮｏ）は、現状態に対して、逆の安全処置作業指示が出ている場合であり、（ＳＴＥＰ：１−１−１５）へ進む。
【００４２】
（ＳＴＥＰ：１−１−１４）
安全処置作業者３−４は、ポータブルＰＣ２の表示部２−１に、安全処置作業管理情報３−１内の実施期間３−１−１０および担当者３−１−４と、「確認」のボタンとが表示されるので、内容を確認の上、「確認」ボタンをタッチする。
【００４３】
（ＳＴＥＰ：１−１−１５）
現状態の安全処置が解除されるまで、作業を中止する。
【００４４】
（ＳＴＥＰ：１−１−１６）
（ＳＴＥＰ：１−１−１４）の後に、安全処置作業者３−４は、ポ−タブルＰＣ２の表示部２−１に「既に安全処置が実施されています。」のメッセージと、実施されている安全処置作業管理情報３−１と、「確認」のボタンとが表示されるので、内容を確認の上、「確認」ボタンをタッチする。
【００４５】
（ＳＴＥＰ：１−１−１７）
安全処置作業実施処理（ＳＴＥＰ：１−１−２０）内の（ＳＴＥＰ：１−１−１２）または（ＳＴＥＰ：１−１−１６）の後に、ポータブルＰＣ２は、データ保管部２−６に格納されている実施対象の安全処置作業管理情報３−１内のステータス情報３−１−２が表す安全処置の状態として実施中であることを格納し、実施作業情報３−１−９が表す安全処置作業の状態としてＳＴＥＰ：（１−１−１１）で判別した安全処置対象４−２の現在の状態を格納する。
【００４６】
（ＳＴＥＰ：１−１−１８）
以上により、作業を終了する。
【００４７】
＜実施後作業＞
（ＳＴＥＰ：１−１−１９）
管理装置１のデータベース１−２内の安全処置作業管理情報３−１へ、上記（ＳＴＥＰ：１−１−１）から（ＳＴＥＰ：１−１−１４）までの作業結果を格納して更新するために、安全処置作業者３−４は、管理装置１の通信部１−４と、ポータブルＰＣ２の通信部２−３とを通信可能状態にし、ポータブルＰＣ２内の安全処置作業管理情報３−１を、管理装置１のデータベース１−２内の安全処置作業管理情報３−１に転送し、ステータス情報３−１−２を上書きする。
【００４８】
＜安全処置解除＞
図１４は、第１実施形態に係る安全処置作業管理システムの動作として、安全処置作業の解除動作を示すフローチャートである。図１５は、第１実施形態に係る安全処置作業管理システムの動作として、安全処置作業の解除動作の中の安全処置作業解除処理（ＳＴＥＰ：１−２−１６）を示すフローチャートである。
【００４９】
（ＳＴＥＰ：１−２−０）
まず、作業前の準備は（ＳＴＥＰ：１−１−０）と同様である。
【００５０】
（ＳＴＥＰ：１−２−１）
作業を開始する。
【００５１】
（ＳＴＥＰ：１−２−１６）
次に、以下に示す安全処置作業解除処理（ＳＴＥＰ：１−２−２〜ＳＴＥＰ：１−２−１２）を実施する。
【００５２】
（ＳＴＥＰ：１−２−２）
安全処置作業者３−４は、ポータブルＰＣ２を操作して、データ保管部２−６に格納された安全処置作業管理情報３−１の中から解除対象の安全処置作業管理情報３−１を選択する。
【００５３】
（ＳＴＥＰ：１−２−３）
安全処置作業者３−４は、ポータブルＰＣ２を操作して、カメラ２−２で安全処置対象４−２を撮影する。
【００５４】
（ＳＴＥＰ：１−２−４）
ポータブルＰＣ２は、（ＳＴＥＰ：１−２−３）にてカメラ２−２で安全処置対象４−２を撮影することにより画像から得られた個体識別番号４−３と、（ＳＴＥＰ：１−２−２）にて選択した解除対象の安全処置作業管理情報３−１内の個体識別番号３−１−１とを照合する。照合の結果、一致した場合（ＳＴＥＰ：１−２−４のＹｅｓ）は（ＳＴＥＰ：１−２−５）へ進み、照合の結果、一致しなかった場合（ＳＴＥＰ：１−２−４のＮｏ）は、解除対象を間違えたケースであり、（ＳＴＥＰ：１−２−２）へ戻る。
【００５５】
（ＳＴＥＰ：１−２−５）
ポータブルＰＣ２は、（ＳＴＥＰ：１−２−２）で選択した解除対象の安全処置作業管理情報３−１内のステータス情報３−１−２が表す安全処置の状態を確認して、「実行中」ステータスの安全処置対象４−２を検索して、複数ある場合（ＳＴＥＰ：１−２−５のＹｅｓ）は（ＳＴＥＰ：１−２−１２）へ進み、単独で実施されている場合（ＳＴＥＰ：１−２−５のＮｏ）は（ＳＴＥＰ：１−２−６）へ進む。この処理は、安全処置対象箇所が、他にも安全処置が実施されている場合は、安全処置作業を解除する必要がないので、その要否を判断処理するものである。
【００５６】
（ＳＴＥＰ：１−２−６）
安全処置作業者３−４は、ポータブルＰＣ２の表示部２−１に「安全処置対象を確認しました。」等のメッセージと、「確認」等のボタンが表示されるので、「確認」ボタンをタッチする。
【００５７】
（ＳＴＥＰ：１−２−７）
安全処置作業者３−４は、安全処置対象４−２の識別表示物４を取り外す。
【００５８】
（ＳＴＥＰ：１−２−８）
安全処置作業者３−４は、安全処置対象４−２の安全処置作業を解除する。
【００５９】
（ＳＴＥＰ：１−２−９）
安全処置作業者３−４は、ポータブルＰＣ２を操作して、カメラ２−２で、（ＳＴＥＰ：１−２−７）で取り外した識別表示物４と、（ＳＴＥＰ：１−２−８）で解除した安全処置対象４−２とを撮影する。
【００６０】
（ＳＴＥＰ：１−２−１０）
ポータブルＰＣ２は、（ＳＴＥＰ：１−２−９）にてカメラ２−２で安全処置対象４−２および識別表示物４を撮影することにより画像からそれぞれ得られた個体識別番号４−３および安全処置管理番号４−１と、（ＳＴＥＰ：１−２−２）にて選択した解除対象の安全処置作業管理情報３−１内の個体識別番号３−１−１および安全処置管理番号３−１−３とを照合する。照合の結果、一致した場合（ＳＴＥＰ：１−２−１０のＹｅｓ）は、（ＳＴＥＰ：１−２−１１）へ進み、照合の結果、一致しなかった場合（ＳＴＥＰ：１−２−１０のＮｏ）は、解除対象を間違えたケースであり、解除した安全処置作業を解除前の状態へ戻し（ＳＴＥＰ：１−２−２）へ戻る。
【００６１】
（ＳＴＥＰ：１−２−１１）
安全処置作業者３−４は、ポータブルＰＣ２の表示部２−１に「安全処置の解除が完了しました。」等のメッセージと「確認」のボタンが表示されるので、「確認」ボタンをタッチする。
【００６２】
（ＳＴＥＰ：１−２−１２）
安全処置作業者３−４は、ポータブルＰＣ２の表示部２−１に「他件名で安全処置が実施されています。」のメッセージと、実施されている安全処置作業管理情報３−１と、「確認」のボタンが表示されるので、「確認」ボタンをタッチする。
【００６３】
（ＳＴＥＰ：１−２−１３）
安全処置作業解除処理（ＳＴＥＰ：１−２−１６）内の（ＳＴＥＰ：１−２−１１）または（ＳＴＥＰ：１−２−１２）の後に、ポータブルＰＣ２は、データ保管部２−６に格納されている解除対象の安全処置作業管理情報３−１内のステータス情報３−１−２が表す安全処置の状態として解除済であることを格納する。
【００６４】
（ＳＴＥＰ：１−２−１４）
以上により、作業を終了する。
【００６５】
（ＳＴＥＰ：１−２−１５）
解除後作業は（ＳＴＥＰ：１−１−１５）と同様である。
【００６６】
＜効果＞
以上の説明により、第１実施形態に係る安全処置作業管理システムによれば、現状設備を変えることなく、安全処置作業後の操作状態の確認、逆安全処置指示に対する作業中止指示を機械的に判断することができる。このため、特許文献１に記載されたＲＦＩＤを利用しないことにより安全処置作業管理の作業品質が向上する。また、ＲＦＩＤ故障などによるデータ異常の削減を期待できる。また、安全処置作業（操作）のミス（ヒューマンエラー）や、逆安全処置作業の実施を防止できる。
【００６７】
［第２実施形態］
第２実施形態について、第１実施形態からの変更点のみ説明する。ここで、説明部分以外の部分は第１実施形態と同じである。
【００６８】
＜構成＞
図２は、第２実施形態に係る安全処置作業管理システムの構成を示すブロック図である。
【００６９】
図２に示されるように、第２実施形態に係る安全処置作業管理システムのポータブルＰＣ２は、第１実施形態の構成に対して、さらに、文字補正機能２−９を備えている。文字補正機能２−９は画像認識部２−５に内蔵されていてもよい。
【００７０】
＜作用＞
ポータブルＰＣ２の画像認識部２−５は、安全処置対象４−２が撮影された画像から文字認識をする際に、安全処置対象４−２が歪曲しているような場合においても文字補正機能２−９により自動修正して、安全処置対象４−２の個体識別番号４−３を正確に認識する。
【００７１】
＜効果＞
第２実施形態に係る安全処置作業管理システムによれば、歪曲している文字も正確に文字認識することができるので、例えば、安全処置対象が配線・ケーブルで、個体識別番号が曲がっていても、正確に文字認識することができる。
【００７２】
［第３実施形態］
第３実施形態について、第１実施形態からの変更点のみ説明する。ここで、説明部分以外の部分は第１実施形態と同じである。
【００７３】
＜構成＞
図３は、第３実施形態に係る安全処置作業管理システムの構成を示すブロック図である。
【００７４】
図３に示されるように、第３実施形態に係る安全処置作業管理システムのポータブルＰＣ２は、第１実施形態の構成に対して、さらに、情報選択機能２−１０を備えている。情報選択機能２−１０は画像認識部２−５に内蔵されていてもよい。
【００７５】
＜作用＞
ポータブルＰＣ２の画像認識部２−５は、安全処置対象４−２が撮影された画像２−１−１を表示部２−１に表示したときに安全処置対象４−２の個体識別番号４−３を含む複数の個体識別番号４−３が存在する場合、情報選択機能２−１０により自動で文字認識し、複数の個体識別番号４−３の中から安全処置作業者３−４が安全処置対象４−２の個体識別番号４−３のみを選択するための認識後画面２−１−２を表示部２−１に表示する。画像認識部２−５は、安全処置作業者３−４が認識後画面２−１−２から安全処置対象４−２の個体識別番号４−３のみを選択した場合に、安全処置対象４−２の個体識別番号４−３を認識する。
【００７６】
＜効果＞
第３実施形態に係る安全処置作業管理システムによれば、認識した複数の個体識別番号の中から、任意の個体識別番号を選択することができるので、例えば、機器が密集して設置されている中の一つに安全処置対象があるような場合においても、安全処置対象の個体識別番号のみを選択することができる。
【００７７】
［第４実施形態］
第４実施形態について、第１実施形態からの変更点のみ説明する。ここで、説明部分以外の部分は第１実施形態と同じである。
【００７８】
＜構成＞
図４は、第４実施形態に係る安全処置作業管理システムの構成を示すブロック図である。
【００７９】
図４に示されるように、第４実施形態に係る安全処置作業管理システムのポータブルＰＣ２は、第１実施形態の構成に対して、さらに、認識範囲指定機能２−１１を備えている。認識範囲指定機能２−１１は画像認識部２−５に内蔵されていてもよい。
【００８０】
＜作用＞
ポータブルＰＣ２の画像認識部２−５は、安全処置対象４−２が撮影された画像２−１−１を表示部２−１に表示したときに安全処置対象４−２の個体識別番号４−３を含む複数の個体識別番号４−３が存在する場合、認識範囲指定機能２−１１により画像２−１−１上で複数の個体識別番号４−３をハイライトするなどして認識範囲の指定を促す。画像認識部２−５は、安全処置作業者３−４が画像２−１−１から安全処置対象４−２の個体識別番号４−３を含む認識範囲２−１−３を指定した場合、認識範囲２−１−３が指定された安全処置対象４−２の個体識別番号４−３を認識する。
【００８１】
＜効果＞
第４実施形態に係る安全処置作業管理システムによれば、撮影した画像の中から、文字認識する範囲を指定することができるので、例えば、機器が密集して設置されている中の一つに安全処置対象があるような場合においても、安全処置対象のみを文字認識範囲に指定することで、安全処置対象のみの個体識別番号を文字認識させることができる。
【００８２】
［第５実施形態］
第５実施形態について、第１実施形態からの変更点のみ説明する。ここで、説明部分以外の部分は第１実施形態と同じである。
【００８３】
＜構成＞
図５は、第５実施形態に係る安全処置作業管理システムの構成を示すブロック図である。
【００８４】
図５に示されるように、第５実施形態に係る安全処置作業管理システムのポータブルＰＣ２は、第１実施形態の構成に対して、さらに、認識規則設定機能２−１２を備えている。認識規則設定機能２−１２は画像認識部２−５に内蔵されていてもよい。
【００８５】
＜作用＞
安全処置実施者３−２は、認識規則設定機能２−１２により認識ルール（ポータブルＰＣ２へ画像の認識規則２−１２−１またはプラント機器付番規則２−１２−２）を画像認識部２−５に設定しておき、画像認識部２−５は、その認識ルールに基づいて、安全処置対象４−２が撮影された画像から安全処置対象４−２の個体識別番号４−３を認識する。
【００８６】
＜効果＞
第５実施形態に係る安全処置作業管理システムによれば、画像の認識規則を入力する事で、その規則に沿った画像認識させることができるので、規則に沿って付番されている個体識別番号の画像認識精度を向上することができる。例えば、ある機器は、「○○−△△△」と付番された個体識別番号がつけられている。○○は機器の種類により固定された英数字、△△△は連続した数字、という原則に基づいていれば、その規則をポータブルＰＣへ入力する事で、文字認識の精度を向上することができる。また、発電プラントには、発電プラント毎の機器の付番原則があり、その付番原則に従って機器は個体識別番号が付番されるので、その原則を入力することでの文字認識の精度向上も可能である。
【００８７】
［第６実施形態］
第６実施形態について、第１〜第５実施形態からの変更点のみ説明する。ここで、説明部分以外の部分は第１〜第５実施形態と同じである。
【００８８】
＜構成＞
図６は、第６実施形態に係る安全処置作業管理システムの構成を示すブロック図である。
【００８９】
図６に示されるように、第６実施形態に係る安全処置作業管理システムは、第１〜第５実施形態の構成に対して、さらに、発電所内ネットワーク６と、事務所３とを具備している。
【００９０】
事務所３には、発電所内ネットワーク６に接続可能なＰＣを持つ安全処置作業者３−４と、安全処置作業の承認者３−３とが在席している。管理装置１の通信部１−４と、ポータブルＰＣ２の通信部２−３と、安全処置作業者３−４および承認者３−３のＰＣは、発電所内ネットワーク６へ接続できる構成である。ここで言う発電所内ネットワーク６とは、発電所のイントラネットへ接続する手段の事を指し、有線ＬＡＮまたは、無線ＬＡＮにて実現される。
【００９１】
管理装置１は、第１〜第５実施形態の構成を組み合わせることができ、その第１〜第５実施形態の構成に対して、さらに、情報検索機能１−９を備えている。
【００９２】
＜作用＞
第６実施形態に係る安全処置作業管理システムにおいては、管理装置１とポータブルＰＣ２とが発電所内ネットワーク６へ接続されているため、第１実施形態における作業前準備（ＳＴＥＰ：１−１−０）と実施後作業（ＳＴＥＰ：１−１−１９）は省略できる。また、発電所内ネットワーク６へ接続できることで、安全処置作業管理情報３−１の入力を事務所３から安全処置作業者３−４が入力し、それを受けて承認者３−３が承認することが可能となる。
【００９３】
＜安全処置作業実施＞
図１６は、第６実施形態に係る安全処置作業管理システムの動作として、安全処置作業の実施動作を示すフローチャートである。
【００９４】
（ＳＴＥＰ：２−１−１）
まず、安全処置作業者３−４は、ポータブルＰＣ２を持って安全処置対象４−２まで行き、作業を開始する。
【００９５】
（ＳＴＥＰ：２−１−２）
安全処置作業者３−４は、自分のＩＤ番号でポータブルＰＣ２へログインする。
【００９６】
（ＳＴＥＰ：２−１−３）
ポータブルＰＣ２は、ログインＩＤ番号から、安全処置作業者３−４を認識して、管理装置内１のデータベース１−２へ直接アクセスし、データベース１−２に格納されている情報である担当者３−１−４を情報検索機能１−９にて検索する。
【００９７】
（ＳＴＥＰ：２−１−４）
ポータブルＰＣ２は、検索された安全処置作業管理情報３−１を表示部２−１に表示する。
【００９８】
次に、第１実施形態における安全処置作業実施処理（ＳＴＥＰ：１−１−２０）、すなわち（ＳＴＥＰ：１−１−２〜ＳＴＥＰ：１−１−１６）を実施する。
【００９９】
（ＳＴＥＰ：２−１−５）
ポータブルＰＣ２は、管理装置１内のデータベース１−２にアクセスし、データベース１−２に格納されているステータス情報３−１−２を「実施中」へ変更する。
【０１００】
（ＳＴＥＰ：２−１−６）
以上により、作業を終了する。
【０１０１】
＜安全処置解除＞
図１７は、第６実施形態に係る安全処置作業管理システムの動作として、安全処置作業の解除動作を示すフローチャートである。
【０１０２】
（ＳＴＥＰ：２−２−１）
まず、安全処置作業者３−４は、ポータブルＰＣ２を持って安全処置対象４−２まで行き、作業を開始する。
【０１０３】
（ＳＴＥＰ：２−２−２）
安全処置作業者３−４は、自分のＩＤ番号でポータブルＰＣ２へログインする。
【０１０４】
（ＳＴＥＰ：２−２−３）
ポータブルＰＣ２は、ログインＩＤ番号から、安全処置作業者３−４を認識して、管理装置内１のデータベース１−２へ直接アクセスし、データベース１−２に格納されている情報である担当者３−１−４を情報検索機能１−９にて検索する。
【０１０５】
（ＳＴＥＰ：２−２−４）
ポータブルＰＣ２は、検索された安全処置作業管理情報３−１を表示部２−１に表示する。
【０１０６】
次に、第１実施形態における安全処置作業解除処理（ＳＴＥＰ：１−２−１６）、すなわち（ＳＴＥＰ：１−２−２〜ＳＴＥＰ：１−２−１２）を実施する。
【０１０７】
（ＳＴＥＰ：２−２−５）
ポータブルＰＣ２は、管理装置１内のデータベース１−２にアクセスし、データベース１−２に格納されているステータス情報３−１−２を「解除済」へ変更する。
【０１０８】
（ＳＴＥＰ：２−２−６）
以上により、作業を終了する。
【０１０９】
＜効果＞
第６実施形態に係る安全処置作業管理システムによれば、管理装置１とポータブルＰＣ２は、発電所内ネットワーク６を介して通信可能となるので、管理装置１とポータブルＰＣ２は、リアルタイムの通信が可能となり、ポータブルＰＣ２側で、管理装置１内のデータベース１−２の情報変更が可能となる。さらに、データベース１−２から必要情報のみをソートして参照すること、最新のデータベース１−２内の情報を参照する事が可能となる。また、安全処置作業管理情報３−１の入力を事務所から入力することが可能となる。
【０１１０】
［第７実施形態］
第７実施形態について、第６実施形態からの変更点のみ説明する。ここで、説明部分以外の部分は第６実施形態と同じである。
【０１１１】
＜構成＞
図７は、第７実施形態に係る安全処置作業管理システムの構成を示すブロック図である。
【０１１２】
図７に示されるように、第７実施形態に係る安全処置作業管理システムの管理装置１は、第６実施形態の構成に対して、さらに、作業エビデンス登録部１−６を備えている。
【０１１３】
図２２に示されるように、安全処置作業管理情報３−１は、さらに、作業エビデンス３−１−７を含んでいる。
【０１１４】
＜作用＞
＜安全処置作業実施＞
図１８は、第７実施形態に係る安全処置作業管理システムの動作として、安全処置作業の実施動作を示すフローチャートである。
【０１１５】
（ＳＴＥＰ：３−１−１）
まず、安全処置作業者３−４は、ポータブルＰＣ２を持って安全処置対象４−２まで行き、作業を開始する。
【０１１６】
次に、第６実施形態における（ＳＴＥＰ：２−１−２）〜（ＳＴＥＰ：２−１−４）を実施する。
【０１１７】
次に、第１実施形態における安全処置作業実施処理（ＳＴＥＰ：１−１−２０）、すなわち（ＳＴＥＰ：１−１−２〜ＳＴＥＰ：１−１−１６）を実施する。
【０１１８】
次に、第６実施形態における（ＳＴＥＰ：２−１−５）を実施する。
【０１１９】
（ＳＴＥＰ：３−１−２）
安全処置作業者３−４は、安全処置対象４−２に識別表示物４が取りついている状態で、ポータブルＰＣ２のカメラ２−２で、安全処置対象４−２と識別表示物４とを撮影する。
【０１２０】
（ＳＴＥＰ：３−１−３）
安全処置作業者３−４は、ポータブルＰＣ２を操作して、撮影した画像を、発電所内ネットワーク６を介して転送し、管理装置１の作業エビデンス登録部１−６は、その画像をデータベース１−２の実施対象の安全処置作業管理情報３−１内の作業エビデンス３−１−７として格納する。
【０１２１】
（ＳＴＥＰ：３−１−４）
以上により、作業を終了する。
【０１２２】
＜安全処置解除＞
図１９は、第７実施形態に係る安全処置作業管理システムの動作として、安全処置作業の解除動作を示すフローチャートである。
【０１２３】
（ＳＴＥＰ：３−２−１）
まず、安全処置作業者３−４は、ポータブルＰＣ２を持って安全処置対象４−２まで行き、作業を開始する。
【０１２４】
次に、第６実施形態における（ＳＴＥＰ：２−２−２）〜（ＳＴＥＰ：２−２−４）を実施する。
【０１２５】
次に、第１実施形態における安全処置作業実施処理（ＳＴＥＰ：１−２−１６）、すなわち（ＳＴＥＰ：１−２−２〜ＳＴＥＰ：１−２−１２）を実施する。
【０１２６】
次に、第６実施形態における（ＳＴＥＰ：２−２−５）を実施する。
【０１２７】
（ＳＴＥＰ：３−２−２）
安全処置作業者３−４は、安全処置対象４−２に、識別表示物４が取外されている状態で、ポータブルＰＣ２のカメラ２−２で、安全処置対象４−２と識別表示物４とを撮影する。
【０１２８】
（ＳＴＥＰ：３−２−３）
安全処置作業者３−４は、ポータブルＰＣ２を操作して、撮影した画像を、発電所内ネットワーク６を介して転送し、管理装置１の作業エビデンス登録部１−６は、その画像をデータベース１−２の実施対象の安全処置作業管理情報３−１内の作業エビデンス３−１−７として格納する。
【０１２９】
（ＳＴＥＰ：３−２−４）
以上により、作業を終了する。
【０１３０】
＜効果＞
第７実施形態に係る安全処置作業管理システムによれば、作業後の安全処置対象４−２の画像をエビデンスとして残せるので、安全処置作業者３−４が安全処置対象４−２を間違いなく、正しい作業をした履歴を残すことができる。
【０１３１】
［第８実施形態］
第８実施形態について、第７実施形態からの変更点のみ説明する。ここで、説明部分以外の部分は第７実施形態と同じである。
【０１３２】
＜構成＞
図８は、第８実施形態に係る安全処置作業管理システムの構成を示すブロック図である。
【０１３３】
図８に示されるように、第８実施形態に係る安全処置作業管理システムのポータブルＰＣ２は、第７実施形態の構成に対して、さらに、時間記録機能２−１３を備えている。
【０１３４】
図２２に示されるように、安全処置作業管理情報３−１は、さらに、安全処置実施時刻３−１−５と、安全処置解除時刻３−１−６とを含んでいる。
【０１３５】
＜作用＞
＜安全処置作業実施＞
図２０は、第８実施形態に係る安全処置作業管理システムの動作として、安全処置作業の実施動作を示すフローチャートである。
【０１３６】
（ＳＴＥＰ：４−１−１）
まず、安全処置作業者３−４は、ポータブルＰＣ２を持って安全処置対象４−２まで行き、作業を開始する。
【０１３７】
次に、第６実施形態における（ＳＴＥＰ：２−１−２）〜（ＳＴＥＰ：２−１−４）を実施する。
【０１３８】
次に、第１実施形態における安全処置作業実施処理（ＳＴＥＰ：１−１−２０）、すなわち（ＳＴＥＰ：１−１−２〜ＳＴＥＰ：１−１−１６）を実施する。
【０１３９】
次に、第６実施形態における（ＳＴＥＰ：２−１−５）を実施する。
【０１４０】
（ＳＴＥＰ：４−１−２）
ポータブルＰＣ２の時間記録機能２−１３は、管理装置１内のデータベース１−２にアクセスし、（ＳＴＥＰ：１−１−１１）における時刻をデータベース１−２の実施対象の安全処置作業管理情報３−１内の実施時刻３−１−５として格納する。
【０１４１】
（ＳＴＥＰ：４−１−３）
以上により、作業を終了する。
【０１４２】
＜安全処置解除＞
図２１は、第８実施形態に係る安全処置作業管理システムの動作として、安全処置作業の解除動作を示すフローチャートである。
【０１４３】
（ＳＴＥＰ：４−２−１）
まず、安全処置作業者３−４は、ポータブルＰＣ２を持って安全処置対象４−２まで行き、作業を開始する。
【０１４４】
次に、第６実施形態における（ＳＴＥＰ：２−２−２）〜（ＳＴＥＰ：２−２−４）を実施する。
【０１４５】
次に、第１実施形態における安全処置作業実施処理（ＳＴＥＰ：１−２−１６）、すなわち（ＳＴＥＰ：１−２−２〜ＳＴＥＰ：１−２−１２）を実施する。
【０１４６】
次に、第６実施形態における（ＳＴＥＰ：２−２−５）を実施する。
【０１４７】
（ＳＴＥＰ：４−２−２）
ポータブルＰＣ２の時間記録機能２−１３は、管理装置１内のデータベース１−２にアクセスし、（ＳＴＥＰ：１−２−１１）における時刻をデータベース１−２の実施対象の安全処置作業管理情報３−１内の安全処置解除時刻３−１−６として更新する。
【０１４８】
（ＳＴＥＰ：４−２−３）
以上により、作業を終了する。
【０１４９】
＜効果＞
第８実施形態に係る安全処置作業管理システムによれば、安全処置作業の実施時刻、安全処置解除時刻の管理をすることができるので、機器の操作や信号隔離時の時刻を記録・報告する場合に管理装置１のデータベース１−２を参照する事で実施することができる。
【０１５０】
［第９実施形態］
第９実施形態について、第８実施形態からの変更点のみ説明する。ここで、説明部分以外の部分は第８実施形態と同じである。
【０１５１】
＜構成＞
図９は、第９実施形態に係る安全処置作業管理システムの構成を示すブロック図である。
【０１５２】
図９に示されるように、第９実施形態に係る安全処置作業管理システムの管理装置１は、第８実施形態の構成に対して、さらに、図面呼出機能１−７を備えている。
【０１５３】
管理装置１のデータベース１−２は、図面３−２−１が格納された図面保管部３−２を備えている。
【０１５４】
＜作用＞
データベース１−２内の図面保管部３−２に格納されている図面３−２−１は、個体識別番号４−３を含む機器・配線・ポンプ・弁等の情報が格納されていて、機器や信号線・配線を選択すると、それらが持つ情報を参照することができるデータ図面であり、安全処置作業時、若しくは安全処置対象箇所の確認時に、ポータブルＰＣ２で個体識別番号４−３を画像認識すると、その個体識別番号４−３に関連する上記データ図面を管理装置１の図面保管部３−２から図面呼出機能１−７にて呼び出し、ポータブルＰＣ２へ表示させる。安全処置作業者３−４は、そのデータ図面で作業上に必要な情報を参照する。
【０１５５】
＜効果＞
第９実施形態に係る安全処置作業管理システムによれば、ポータブルＰＣ２上で、必要な図面の表示および、情報収集を行うことができるので、大量の図面を持ち歩く必要がなく、また、安全処置対象４−２以外の安全処置状態を知りたい場合でも、ポータブルＰＣ２のみで実現することができる。
【０１５６】
［第１０実施形態］
第１０実施形態について、第９実施形態からの変更点のみ説明する。ここで、説明部分以外の部分は第９実施形態と同じである。
【０１５７】
＜構成＞
図１０は、第１０実施形態に係る安全処置作業管理システムの構成を示すブロック図である。
【０１５８】
図１０に示されるように、第１０実施形態に係る安全処置作業管理システムの管理装置１は、第９実施形態の構成に対して、さらに、安全処置作業管理情報作成機能１−８を備えている。
【０１５９】
＜作用＞
安全処置作業者３−４が、安全処置作業管理情報３−１を管理装置１のデータベース１−２へ入力・格納する際に、図面保管部３−２に格納されているデータ図面上の安全処置対象を選択することで、安全処置作業管理情報作成機能１−８が、データ図面がもつ各情報を利用して、安全処置対象４−２の安全処置作業管理情報３−１を作成し、データベース１−２内へ格納する。
【０１６０】
＜効果＞
第１０実施形態に係る安全処置作業管理システムによれば、安全処置作業管理情報３−１の入力を、データ図面から選択することで、実施できるので、入力情報ミスの削減が図られる。
【０１６１】
［第１１実施形態］
第１１実施形態について、第１０実施形態からの変更点のみ説明する。ここで、説明部分以外の部分は第１０実施形態と同じである。
【０１６２】
＜構成＞
図１１は、第１１実施形態に係る安全処置作業管理システムの構成を示すブロック図である。
【０１６３】
図１１に示されるように、第１１実施形態に係る安全処置作業管理システムのポータブルＰＣ２は、第１０実施形態の構成に対して、さらに、安全処置作業管理情報３−１に関する安全処置対象４−２の位置情報を検索するＧＰＳ２−１４と、位置情報に基づいて安全処置作業者３−４を安全処置対象４−２まで誘導案内するナビゲーション機能２−１５と、を備えている。
【０１６４】
＜作用＞
安全処置作業者３−４は、ポータブルＰＣ２で、安全処置作業管理情報３−１の中から、これから実施する安全処置対象４−２を選択すると、ポータブルＰＣ２は、画面上に、対象までの道順を表示し、安全処置作業者３−４を誘導案内する。なお、道順の表示は、図面保管部３−２に保管されている、プラントレイアウト図を呼出して、そのプラントレイアウト図上に連動させて、表示する。
【０１６５】
＜効果＞
第１１実施形態に係る安全処置作業管理システムによれば、選択した安全処置対象４−２を選択する事で、対象までの道順が表示されるので、安全処置作業者３−４の経験に係わらず、誰であっても作業対象まで到達する事ができる。
【０１６６】
［他の実施形態］
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、また各実施形態の特徴を組み合わせることができる。これら実施形態やその変形は、発明の範囲や要旨に含まれるとともに、特許請求の範囲に記載された発明とその均等の範囲に含まれる。
【符号の説明】
【０１６７】
１  …  管理装置
１−１  …  制御部
１−２  …  データベース
１−３  …  表示部
１−４  …  通信部
１−５  …  入力部
１−６  …  作業エビデンス登録部
１−７  …  図面呼出機能
１−８  …  安全処置作業管理情報作成機能
１−９  …  情報検索機能
２  …  ポータブルＰＣ（携帯端末）
２−１  …  表示部
２−１−１  …  画像
２−１−２  …  認識後画面
２−１−３  …  認識範囲
２−２  …  カメラ
２−３  …  通信部
２−４  …  制御部
２−５  …  画像認識部
２−６  …  データ保管部
２−７  …  照合部
２−８  …  入力部
２−９  …  文字補正機能
２−１０  …  情報選択機能
２−１１  …  認識範囲指定機能
２−１２  …  認識規則設定機能
２−１２−１  …  画像の認識規則
２−１２−２  …  プラント機器付番規則
２−１３  …  時間記録機能
２−１４  …  ＧＰＳ
２−１５  …  ナビゲーション機能
３  …  事務所
３−１  …  安全処置作業管理情報
３−１−１  …  個体識別番号
３−１−２  …  ステータス情報
３−１−３  …  安全処置管理番号
３−１−４  …  担当者
３−１−５  …  安全処置実施時刻
３−１−６  …  安全処置解除時刻
３−１−７  …  作業エビデンス
３−１−８  …  予定作業情報
３−１−９  …  実施作業情報
３−１−１０  …  実施期間
３−２  …  図面保管部
３−２−１  …  図面
３−３  …  承認者
３−４  …  安全処置作業者
４  …  識別表示物
４−１  …  安全処置管理番号
４−２  …  安全処置対象
４−３  …  個体識別番号
６  …  発電所内ネットワーク
７−１  …  配線・ケーブル類
７−２  …  スイッチ類
７−３  …  ＭＣＣＢ類
７−４  …  弁・ポンプ類
【図１】
2014203130.tif 000003
【図２】
2014203130.tif 000004
【図３】
2014203130.tif 000005
【図４】
2014203130.tif 000006
【図５】
2014203130.tif 000007
【図６】
2014203130.tif 000008
【図７】
2014203130.tif 000009
【図８】
2014203130.tif 000010
【図９】
2014203130.tif 000011
【図１０】
2014203130.tif 000012
【図１１】
2014203130.tif 000013
【図１２】
2014203130.tif 000014
【図１３】
2014203130.tif 000015
【図１４】
2014203130.tif 000016
【図１５】
2014203130.tif 000017
【図１６】
2014203130.tif 000018
【図１７】
2014203130.tif 000019
【図１８】
2014203130.tif 000020
【図１９】
2014203130.tif 000021
【図２０】
2014203130.tif 000022
【図２１】
2014203130.tif 000023
【図２２】
2014203130.tif 000024
【図２３】
2014203130.tif 000025